【事件の表示】
　平成　５年特許願第３４１６０４号「時刻較正機能付時計装置」拒絶査定不服審判事件〔平成　７年　６月２３日出願公開、特開平　７−１５９５６０〕について、次のとおり審決する。
【結　論】
　本件審判の請求は、成り立たない。
【理　由】
１．手続きの経緯
　本願は、平成５年１２月１０日の出願であって、平成１４年１０月１０日付けで拒絶査定がなされ、これに対し、平成１４年１１月１２日に拒絶査定不服審判の請求がなされるとともに、平成１４年１２月１１日付けで手続補正がなされたものである。
　
２．本願発明について
　本願の請求項１に係る発明（以下、「本願発明」という。）は、平成１４年１２月１１日付手続補正書により補正された明細書及び図面の記載からみて、その特許請求の範囲の請求項１に記載された次のとおりのものと認められる。
　
「【請求項１】放送信号中に送られてくる時報信号を用いて現在時刻を較正するようにした時刻較正機能付時計装置において、
　所望の放送信号を受信して音声信号を出力する放送受信部と、
　上記放送信号中の上記時報信号の予報信号に対応する第１の特定周波数の信号を検出する第１のトーンエンコーダと、上記放送信号中の上記時報信号の正時信号に対応する第２の特定周波数の信号を検出する第２のトーンエンコーダとからなる特定周波数検出部と、
　上記トーンエンコーダは、上記放送受信部の出力が入力信号として供給され、上記入力信号の位相とＶＣＯの出力信号の位相とを比較し、上記位相比較出力により上記ＶＣＯの発振周波数を制御すると共に、上記位相比較出力により上記入力信号中の上記時報信号に対応する特定周波数の信号があることを検出するＰＬＬトーンエンコーダの構成とされており、
　上記予報信号の本来の時間間隔のパターンと、上記予報信号に対応する第１の特定周波数の信号を検出する上記第１のトーンエンコーダの出力信号の時間間隔のパターンとが一致しているかを検出すると共に、上記正時信号に対応する第２のトーンエンコーダの出力信号により正時信号が検出されたかどうかを検出する時報一致検出部と、
　上記時報信号の前の所定時間以上の無音状態を検出し、上記時報信号の前に上記所定時間以上の無音状態がある場合に、上記予報信号の本来の時間間隔のパターンと、上記第１のトーンエンコーダの出力信号の時間間隔のパターンとが一致しているか否かを検出し、上記予報信号の本来の時間間隔のパターンと上記第１のトーンエンコーダの出力信号の時間間隔のパターンとが一致している場合に、上記受信部により受信した信号は上記時報信号であると判断する時刻較正部と、
　上記時刻較正部により較正される時計部と
　からなる時刻較正機能付時計装置。」
　
３．引用例記載の発明
　原査定の拒絶の理由に引用された本願の出願前である平成２年５月１１日に頒布された実願昭６３−１４３６１８号（実開平０２−０６３４９３号）のマイクロフィルム（以下、「引用例１」という。）には、図面とともに、
　
（１−１）「ここで、表示手段４を構成の一部とする時計部５について、第１図を用いて説明する。６は発振手段で、時刻をカウントするために必要な一定周期パルスを出力する構成となっている。７は、発信手段６からのパルスにより時刻を刻み、又、他の手段８、例えば自動販売機１の酒類販売制御装置（図示せず）に制御パルスを送出できる制御手段である。この制御手段７は、前記表示手段４に時刻の出力を行っている。９は、所望の電波放送を受信する電波放送チューナーで、この電波放送チューナー９の出力は、８８０Ｈｚ及び４４０Ｈｚのみを通過させるバンドパスフィルタ１０を介して制御手段７に接続されている。なお、Ｖｃｃは直流電源である。
　前記構成につき作用を説明する。先ず、電波放送チューナー９をＮＨＫにチューニングする。このＮＨＫでは、第２図に示すように、例えば時刻が１２：００のように決まった時間の３秒前から４４０Ｈｚを０．１秒ずつ（１秒おきに）出力し、時刻が１２：００になると同時に８８０Ｈｚの出力を１秒間出力する。なお、時刻１２：００の３秒前以前に数秒（ｔ秒）、出力なしの状態がある。この出力特性を検出して、制御手段７が時刻訂正を行なうものである。
　具体的には、第３図のように、音声出力＝０がｔ秒続いたか（１０１）、４４０Ｈｚ入力か（１０２）を確認して、４４０Ｈｚ０．１秒続いたか（１０３）→音声出力＝０が０．９秒つづいたか（１０４）→カウント１を加える（１０５）。これらがカウント３（１０６）になるまで（１０３）→（１０４）→（１０５）を繰り返す。そして、８８０Ｈｚが１秒続いた（１０７）ならば、ここで初めて時刻訂正（１０８）が行なわれる。これら一連の判断と異なった出力が入力された場合は、カウントクリア（１０９）されスタートに戻り時刻訂正は行なわれない。
　ところで、時刻訂正（１０８）では、例えばＡＭ９：００を１秒過ぎた時点で時刻訂正を行なうが、この時表示手段４がＡＭ９：０５と表示していた場合には、ただちにＡＭ９：００（正確には制御手段７の時刻が９時００分０１秒）と訂正され、ＡＭ８：５４であったならば、８に１が加算され、５４は００、となり表示手段４にはＡＭ９：００と表示（制御手段７の時刻は９時００分０１秒）される。すなわち、時報時刻に分表示が３０以下であったならば時間表示に加算はされず、分表示が００と表示され、時報時刻に分表示が３０より大であったならば時間表示に加算が行なわれるのである。」（明細書４頁２行〜６頁１０行）
　
が記載されている。
　
　この記載事項によると、引用例１には、
　
「電波放送（放送信号に相当。）中に送られてくる、決まった時間の３秒前の４４０Ｈｚの０．１秒ずつ（１秒おきに）の出力及び決まった時間と同時の８８０Ｈｚの１秒間出力（時報信号に相当。）を用いて時刻訂正（現在時刻を較正に相当。）するようにした時計（時刻較正機能付時計装置に相当。）において、
　所望の電波放送（放送信号に相当。）を受信して音声信号を出力する電波放送チューナー９（放送受信部に相当。）と、
　上記電波放送（放送信号に相当。）中の上記決まった時間の３秒前の４４０Ｈｚの０．１秒ずつ（１秒おきに）の出力及び決まった時間と同時の８８０Ｈｚの１秒間出力（時報信号に相当。）の４４０Ｈｚ０．１秒ずつ（１秒おきに）の出力（予報信号に相当。）に対応する４４０Ｈｚ（第１の特定周波数に相当。）の信号を通過させ（検出するに相当。）、上記電波放送（放送信号に相当。）中の上記決まった時間の３秒前の４４０Ｈｚの０．１秒ずつ（１秒おきに）の出力及び決まった時間と同時の８８０Ｈｚの１秒間出力（時報信号に相当。）の８８０Ｈｚの１秒間出力（正時信号に相当。）に対応する８８０Ｈｚ（第２の特定周波数に相当。）の信号を通過させる（検出するに相当。）バンドパスフィルタ１０（特定周波数検出部に相当。）と、
　上記４４０Ｈｚ０．１秒ずつ（１秒おきに）の出力（予報信号に相当。）の４４０Ｈｚが０．１秒続き音声出力＝０が０．９秒つづく３回の繰り返し（本来の時間間隔のパターンに相当。）と、上記４４０Ｈｚ０．１秒ずつ（１秒おきに）の出力（予報信号に相当。）に対応する４４０Ｈｚ（第１の特定周波数に相当。）の信号を通過させる（検出するに相当。）上記バンドパスフィルタ１０（特定周波数検出部に相当。）の出力特性を検出（出力信号の時間間隔のパターンとが一致しているかを検出に相当。）すると共に、上記８８０Ｈｚの１秒間出力（正時信号に相当。）に対応するバンドパスフィルタ１０（特定周波数検出部に相当。）の出力特性（出力信号に相当。）により８８０Ｈｚの１秒間出力（正時信号に相当。）が検出されたかどうかを検出する制御手段７（時報一致検出部に相当。）と、
　上記決まった時間の３秒前の４４０Ｈｚの０．１秒ずつ（１秒おきに）の出力及び決まった時間と同時の８８０Ｈｚの１秒間出力（時報信号に相当。）の３秒前以前（前に相当。）の数秒（ｔ秒）の出力なしの状態（所定時間以上の無音状態に相当。）を検出し、上記決まった時間の３秒前の４４０Ｈｚの０．１秒ずつ（１秒おきに）の出力及び決まった時間と同時の８８０Ｈｚの１秒間出力（時報信号に相当。）の前に上記数秒（ｔ秒）の出力なしの状態（所定時間以上の無音状態に相当。）がある場合に、上記４４０Ｈｚ０．１秒ずつ（１秒おきに）の出力（予報信号に相当。）の４４０Ｈｚが０．１秒続き音声出力＝０が０．９秒つづく３回の繰り返し（本来の時間間隔のパターンに相当。）と、上記バンドパスフィルタ１０（特定周波数検出部に相当。）の出力特性を検出（出力信号の時間間隔のパターンとが一致しているか否かを検出に相当。）し、上記４４０Ｈｚ０．１秒ずつ（１秒おきに）の出力（予報信号に相当。）の４４０Ｈｚが０．１秒続き音声出力＝０が０．９秒つづく３回の繰り返し（本来の時間間隔のパターンに相当。）と上記バンドパスフィルタ１０（特定周波数検出部に相当。）の出力特性とが一致（出力信号の時間間隔のパターンとが一致に相当。）している場合に、上記電波放送チューナー９（受信部に相当。）により受信した信号は上記決まった時間の３秒前の４４０Ｈｚの０．１秒ずつ（１秒おきに）の出力及び決まった時間と同時の８８０Ｈｚの１秒間出力（時報信号に相当。）であると判断する制御手段７（時刻較正部に相当。）と、
　上記制御手段７（時刻較正部に相当。）により訂正（較正に相当。）される時計部（時計部に相当。）と
　からなる時計（時刻較正機能付時計装置に相当。）。」
　
の発明が記載されているものと認める。
　
４．対比・判断
　
　そこで、本願発明と引用例１に記載の発明とを対比する。
　引用例１に記載の発明における「電波放送」、「決まった時間の３秒前の４４０Ｈｚの０．１秒ずつ（１秒おきに）の出力及び決まった時間と同時の８８０Ｈｚの１秒間出力」、「時刻訂正」、「時計」、「電波放送チューナー９」、「４４０Ｈｚの０．１秒ずつ（１秒おきに）の出力」、「４４０Ｈｚ」、「通過させ」、「８８０Ｈｚの１秒間出力」、「８８０Ｈｚ」、「バンドパスフィルタ１０」、「４４０Ｈｚが０．１秒続き音声出力＝０が０．９秒つづく３回の繰り返し」、「出力特性を検出」、「出力特性」、「制御手段７」、「数秒（ｔ秒）の出力なしの状態」、「出力特性とが一致」、「電波放送チューナー９」、「制御手段７」、「訂正」は、それぞれ、
　本願発明における「放送信号」、「時報信号」、「現在時刻を較正」、「時刻較正機能付時計装置」、「放送受信部」、「予報信号」、「第１の特定周波数」、「検出する」、「正時信号」、「第２の特定周波数」、「特定周波数検出部」、「本来の時間間隔のパターン」、「出力信号の時間間隔のパターンとが一致しているか否かを検出」、「出力信号」、「時報一致検出部」、「所定時間以上の無音状態」、「出力信号の時間間隔のパターンとが一致」、「受信部」、「時刻較正部」、「較正」に相当する。
　　
　したがって、両者は、
　
【一致点】
「放送信号中に送られてくる時報信号を用いて現在時刻を較正するようにした時刻較正機能付時計装置において、
　所望の放送信号を受信して音声信号を出力する放送受信部と、
　上記放送信号中の上記時報信号の予報信号に対応する第１の特定周波数の信号を検出し、上記放送信号中の上記時報信号の正時信号に対応する第２の特定周波数の信号を検出する特定周波数検出部と、
　上記予報信号の本来の時間間隔のパターンと、上記予報信号に対応する第１の特定周波数の信号を検出する上記特定周波数検出部の出力信号の時間間隔のパターンとが一致しているかを検出すると共に、上記正時信号に対応する特定周波数検出部の出力信号により正時信号が検出されたかどうかを検出する時報一致検出部と、
　上記時報信号の前の所定時間以上の無音状態を検出し、上記時報信号の前に上記所定時間以上の無音状態がある場合に、上記予報信号の本来の時間間隔のパターンと、上記特定周波数検出部の出力信号の時間間隔のパターンとが一致しているか否かを検出し、上記予報信号の本来の時間間隔のパターンと上記特定周波数検出部の出力信号の時間間隔のパターンとが一致している場合に、上記受信部により受信した信号は上記時報信号であると判断する時刻較正部と、
　上記時刻較正部により較正される時計部と
　からなる時刻較正機能付時計装置。」
で一致し、
　
【相違点】
　　本願発明では、特定周波数検出部が、第１のトーンエンコーダと第２のトーンエンコーダとからなり、
　上記トーンエンコーダは、放送受信部の出力が入力信号として供給され、上記入力信号の位相とＶＣＯの出力信号の位相とを比較し、上記位相比較出力により上記ＶＣＯの発振周波数を制御すると共に、上記位相比較出力により上記入力信号中の上記時報信号に対応する特定周波数の信号があることを検出するＰＬＬトーンエンコーダの構成とされているのに対して、
　引用例１に記載の発明では、特定周波数検出部が、バンドパスフィルタ１０からなっている点、
　
で相違する。
　
　そこで、【相違点】について検討する。
原査定の拒絶の理由に引用された本願の出願前である昭和６３年９月２９日に頒布された特開昭６３−２３４１９０号公報（以下、「引用例２」という。）に、
「トーン検出回路２は局の時報の３０秒毎に発生する信号音すなわちトーンパターンを受信し、端末制御回路３に適した信号に変換する回路である。トーン検出回路２は通過帯域が５００Ｈｚのバンドパスフィルタ２２、同１０００Ｈｚのバンドパスフィルタ２３、アンプ２４、２５、５００Ｈｚトーンデコーダ２６、１０００Ｈｚトーンデコーダ２７より構成されている。」（２頁右上欄１５行〜同左下欄１行）、
「また第３図には時刻自動調整装置の動作を説明するための波形図が示されており、同図において波形Ａ、波形Ｂおよび波形Ｃは第１図のＡ点、Ｂ点およびＣ点における波形を示したものである。波形Ａは局の時報サービスのトーキー装置より３０秒毎に受信するトーンパターンである。信号５０、５２、５４はいずれも周波数が５００Ｈｚ、送出時間が２００ｍｓの信号であり、いずれも等間隔で送出される。すなわち信号５０が送出されてから信号５２が送出されるまでの時間は１０００ｍｓであり、信号５２が送出されてから信号５４が送出されるまでの時間も１０００ｍｓである。また信号５６は周波数が１０００Ｈｚ、送出時間が１８００ｍｓの信号である。
　波形Ｂは５００Ｈｚの波形Ａの信号５０、５２および５４に同期して信号６０、６２および６４がデコーダ２６から出力されることを示している。また波形Ｃは１０００Ｈｚの波形Ａの信号５６に同期して信号７０がデコーダ２７から出力されることを示している。」（３頁左上欄３行〜２０行）
と記載されているように、
　時報を検出するために、トーン検出回路２（特定周波数検出部に相当。）を、５００Ｈｚトーンデコーダ２６（第１のトーンエンコーダに相当。）と１０００Ｈｚトーンデコーダ２７（第２のトーンエンコーダに相当。）とから構成することが公知である。
　さらに、トーンエンコーダを、受信部の出力が入力信号として供給され、入力信号の位相とＶＣＯの出力信号の位相とを比較し、上記位相比較出力により上記ＶＣＯの発振周波数を制御すると共に、上記位相比較出力により上記入力信号中の特定周波数の信号があることを検出するＰＬＬトーンエンコーダの構成とすることも、例えば、
　実願平１−１３１６９号（実開平２−１０５１８０号）のマイクロフィルムに、
「ＰＬＬトーンデコーダ２６は位相比較器、ローパスフィルタ、電圧制御発信器（ＶＣＯ）でＰＬＬループを構成し、位相比較器に電圧制御発振器の発振出力を入力すると共に狭帯域増幅器２４からの受光信号ｅ、即ち２０ＫＨｚの高周波信号を入力しており、２０ＫＨｚの高周波信号入力にループ内の発振周波数及び位相を追従させるＰＬＬ動作を行なう。」（明細書９頁１行〜８行）、
　特開平３−８０７００号公報に、
「ＰＬＬ検波回路９はトーンデコーダ用ＩＣ（たとえばローム社製ＢＡ１６０４）等を利用することができる。ＰＬＬのロック周波数はＲ１とＣ２で設定される。」（３頁右上欄１８行〜同左下欄１行）、
と記載されているように周知である。
　したがって、引用例１記載のバンドパスフィルタ１０（特定周波数検出部に相当。）を引用例２記載のトーン検出回路２（特定周波数検出部に相当。）で置換し、トーン検出回路２の５００Ｈｚトーンデコーダ２６（第１のトーンエンコーダに相当。）と１０００Ｈｚトーンデコーダ２７（第２のトーンエンコーダに相当。）として、周知のＰＬＬトーンデコーダを用いることによって、本願発明のごとく構成することは、当業者が容易になし得ることである。
　
　そして、本願発明の効果は、引用例１、２に記載された発明及び周知技術に基づいて当業者が予測可能な範囲内のものである。
　
　したがって、本願発明は、引用例１、２に記載された発明及び周知技術に基づいて当業者が容易に想到し得たものである。
　
５．むすび
　以上のとおり、本願発明は、引用例１、２に記載された発明及び周知の技術に基づいて当業者が容易に発明をすることができたものであるから、特許法第２９条第２項の規定により特許を受けることができない。
　よって、結論のとおり審決する。